(57)【要約】【課題】ディスプレイ部を透明化して使用する際に、消費電力を抑えること。【解決手段】携帯端末１は、光分散部に配された第１及び第２の電極を介して電源から供給される電圧がオンされた場合に光を透過し、電圧がオフされた場合に光を分散させる透明ディスプレイ１４ａを備える。また、携帯端末１は、第１及び第２の電極に加える電圧のオン若しくはオフ、又は電圧がオンされている場合に、電圧のプラスマイナスの切替えタイミングを所定の表示フレームレートで制御する表示制御部１４ｂと、表示制御部１４ｂに対して、透明ディスプレイ１４ａを透明にするスタンバイモードである場合に、表示フレームレートを所定の値に設定し、透明ディスプレイ１４ａに情報を表示する情報表示モードである場合に、表示フレームレートを所定の値より高い値に設定する指示を行う制御部１２と、を備える。【選択図】図１
2010256632.tif 000002
【特許請求の範囲】
【請求項１】
電源に接続される第１の電極が形成され、光を透過する第１のガラス板と、
前記電源に接続される第２の電極が形成され、前記光を透過する第２のガラス板と、
前記第１及び第２のガラス板の間に封止され、前記第１及び第２の電極を介して前記電源から供給される電圧がオンされた場合に前記光を透過し、前記電圧がオフされた場合に前記光を分散させる光分散部と、を有するディスプレイ部と、
前記第１及び第２の電極に加える電圧のオン若しくはオフ、又は前記電圧がオンされている場合に、前記電圧のプラスマイナスの切替えタイミングを所定の表示フレームレートで制御する表示制御部と、
前記表示制御部に対して、前記ディスプレイ部を透明にするスタンバイモードである場合に、前記表示フレームレートを所定の値に設定し、前記ディスプレイ部に情報を表示する情報表示モードである場合に、前記表示フレームレートを前記所定の値より高い値に設定する指示を行う制御部と、を備える
表示装置。
【請求項２】
前記制御部は、前記スタンバイモードである場合に、前記表示フレームレートを２０Ｈｚとし、前記情報表示モードである場合に、前記表示フレームレートを６０Ｈｚとする指示を前記表示制御部に行う
請求項１記載の表示装置。
【請求項３】
更に、周辺の環境照度を計測する照度計測部と、を備え、
前記制御部は、前記照度計測部から取得した前記環境照度に基づいて設定した前記スタンバイモード又は前記情報表示モードに対応する前記表示フレームレートを、前記表示制御部に指示する
請求項１記載の表示装置。
【請求項４】
前記制御部は、前記スタンバイモードであり、前記環境照度が所定の値未満である場合に、前記電圧をオフし、前記スタンバイモードであり、前記環境照度が前記所定の値以上である場合に、前記環境照度に合わせて、２０Ｈｚ〜６０Ｈｚの範囲内の前記表示フレームレートとする指示を前記表示制御部に行う
請求項３記載の表示装置。
【請求項５】
更に、前記スタンバイモード又は前記情報表示モードのいずれかを設定する操作部を備える
請求項２又は４のいずれか１項に記載の表示装置。
【請求項６】
電源に接続される第１の電極が形成され、光を透過する第１のガラス板と、前記電源に接続される第２の電極が形成され、前記光を透過する第２のガラス板と、前記第１及び第２のガラス板の間に封止され、前記第１及び第２の電極を介して前記電源から供給される電圧がオンされた場合に前記光を透過し、前記電圧がオフされた場合に前記光を分散させる光分散部と、を備えるディスプレイ部に対して、前記第１及び第２の電極に加える電圧のオン若しくはオフ、又は前記電圧がオンされている場合に、前記電圧のプラスマイナスの切替えタイミングを所定の表示フレームレートで制御するステップと、
前記ディスプレイ部を透明にするスタンバイモードである場合に、前記表示フレームレートを所定の値に設定し、前記ディスプレイ部に情報を表示する情報表示モードである場合に、前記表示フレームレートを前記所定の値より高い値に設定する指示を行うステップと、を含む
表示方法。
【請求項７】
電源に接続される第１の電極が形成され、光を透過する第１のガラス板と、前記電源に接続される第２の電極が形成され、前記光を透過する第２のガラス板と、前記第１及び第２のガラス板の間に封止され、前記第１及び第２の電極を介して前記電源から供給される電圧がオンされた場合に前記光を透過し、前記電圧がオフされた場合に前記光を分散させる光分散部と、を備えるディスプレイ部に対して、前記第１及び第２の電極に加える電圧のオン若しくはオフ、又は前記電圧がオンされている場合に、前記電圧のプラスマイナスの切替えタイミングを所定の表示フレームレートで制御する手順と、
前記ディスプレイ部を透明にするスタンバイモードである場合に、前記表示フレームレートを所定の値に設定し、前記ディスプレイ部に情報を表示する情報表示モードである場合に、前記表示フレームレートを前記所定の値より高い値に設定する指示を行う手順を
コンピュータに実行させるためのプログラム。
【発明の詳細な説明】
【技術分野】
【０００１】
本発明は、例えば、ディスプレイ背面の情景を透過させて画面に表示させつつ、画像、文字等も画面に表示させる場合に適用して好適な表示装置、表示方法及びプログラムに関する。
【背景技術】
【０００２】
従来、ディスプレイの画面に図形、文字等の情報を表示しつつ、ディスプレイの背景が透けて見える透明ディスプレイを備える表示装置が開発されている。このような透明ディスプレイの内部には、高分子分散液晶（ポリマーネットワーク液晶ともいう。以下、単に「液晶」と称する場合がある。）が用いられることがある。液晶は、電圧がオフされた場合に入光した光を分散し、電圧がオンされた場合に光をそのまま透過させる特性を有しており、透明ディスプレイの用途に適する。
【０００３】
図８は、透明ディスプレイ１００の使用例を簡略化して示す。
透明ディスプレイ１００は、不図示の表示装置に設けられ、表示エリア１０２の矩形枠内に背景、図形、文字等を表示させる。透明ディスプレイ１００の画面は、複数のドットによって構成されており、ドット毎に対応する液晶に対して電圧のオン・オフを切替えると、電圧がオンされたドットは透明となり、電圧がオフされたドットは不透明となる。そして、透明ディスプレイ１００の画面を透明にする「スタンバイモード」が設定されると、表示エリア１０４に背景１０１が透過して表示される。一方、透明ディスプレイ１００の画面が不透明となる「情報表示モード」が設定されると、不透明となった表示エリア１０３に図形、文字等が表示される。以下、スタンバイモード又は情報表示モードを単に「モード」と略称する場合がある。
【０００４】
スタンバイモードでは、液晶に加える電圧を常にオンしなければ透明にならない。しかし、液晶は、電圧をかけた瞬間は整列するものの、時間経過と共に電圧が低下すると乱雑になる特性があり、画面が不透明になりやすい。このため、所定の表示フレームレート（例えば、６０フレーム／秒）でドット毎に対応する液晶に加える電圧のプラスマイナスを切替えて、液晶の整列状態を維持すれば、透明状態を維持して画面に背景を透過させることができる。
【０００５】
特許文献１には、スタンバイモードにおいて、電力消費が小さい２値の表示信号を生成して表示部に出力することによって、低消費電力を実現する技術が開示されている。
【先行技術文献】
【特許文献】
【０００６】
【特許文献１】特開２００１−１８８４９９号公報
【発明の概要】
【発明が解決しようとする課題】
【０００７】
ところで、携帯電話端末等に透明ディスプレイ１００を取り付けると、スタンバイモードであっても、画面を透明状態で維持しなければならない。このため、透明ディスプレイ１００は、常に給電しなければならず、端末に内蔵される電池が消耗しやすい。また、明るい環境下で使用した場合に表示フレームレートが低いと、透明ディスプレイ１００の画面上にちらつきが見えやすくなる。ここで、表示フレームレートと画面上のちらつきの関係について、図９を参照して説明する。
【０００８】
図９は、透明ディスプレイ１００の表示フレームレートの例を示す。
図９Ａは、透明ディスプレイ１００の表示フレームレートを６０Ｈｚとした例を示す。
図９Ｂは、透明ディスプレイ１００の表示フレームレートを３０Ｈｚとした例を示す。
図９Ａ、図９Ｂには、実線で電圧値を示し、破線で透明ディスプレイ１００の透過率を示している。ここで透明ディスプレイ１００の透過率は、電圧がプラスにおける透過率の方が、電圧がマイナスにおける透過率より高い。このため、電圧のプラスマイナスが切り替わる際に、透過率に差が生じる。
【０００９】
人間の視覚について臨界融合周波数（ＣＦＦ：Critical Fusion Frequency）を計測した実験より、人間は５０Ｈｚ以上の時間的分解能を持ちづらいことが知られている。従って、５０Ｈｚ以上の表示フレームレート（例えば、６０Ｈｚ）であれば画面のちらつき（フリッカー）は見えにくくなる。このとき、人間の眼は、図９Ａに示す、電圧のプラスマイナスによる透明ディスプレイ１００の透過率の差を認識しにくく、画面のちらつきを感じにくい。
【００１０】
しかし、５０Ｈｚ以下（例えば、３０Ｈｚ）であると、画面のちらつき（フリッカー）は見えやすくなる。このとき、人間の眼は、図９Ｂに示す、電圧のプラスマイナスによる透明ディスプレイ１００の透過率の差を認識しやすくなり、画面のちらつきを感じやすくなってしまう。
【００１１】
上記の理由により、透明ディスプレイ１００の画面を透明にするためには、高い表示フレームレートを維持することが求められるものの、電池の消耗が激しくなる。また、特許文献１に記載された技術を用いても、電力消費は抑えることができず、さらに２値変換したことにより、画面に表示される背景の表示色が制限されてしまう。
【００１２】
本発明はこのような状況に鑑みて成されたものであり、ディスプレイ部を透明にして使用する際に、消費電力を抑えることを目的とする。
【課題を解決するための手段】
【００１３】
本発明は、電源に接続される第１の電極が形成され、光を透過する第１のガラス板と、電源に接続される第２の電極が形成され、光を透過する第２のガラス板と、第１及び第２のガラス板の間に封止され、第１及び第２の電極を介して電源から供給される電圧がオンされた場合に光を透過し、電圧がオフされた場合に光を分散させる光分散部と、を備えるディスプレイ部に対して、第１及び第２の電極に加える電圧のオン若しくはオフ、又は電圧がオンされている場合に、電圧のプラスマイナスの切替えタイミングを所定の表示フレームレートで制御する。
そして、ディスプレイ部を透明にするスタンバイモードである場合に、表示フレームレートを所定の値に設定し、ディスプレイ部に情報を表示する情報表示モードである場合に、表示フレームレートを所定の値より高い値に設定する指示を行う。
【００１４】
このようにしたことで、スタンバイモード又は情報表示モードのいずれかのモードに適した表示フレームレートとして透明ディスプレイを用いることができる。
【発明の効果】
【００１５】
本発明によれば、ディスプレイ部を透明にするスタンバイモードである場合に、表示フレームレートを所定の値に設定し、ディスプレイ部に情報を表示する情報表示モードである場合に、表示フレームレートを所定の値より高く設定する。このため、ユーザが必要な情報をディスプレイ部に表示させるときだけ表示フレームレートを高くすればよく、ディスプレイ部の消費電力を抑えることができるという効果がある。
【図面の簡単な説明】
【００１６】
【図１】本発明の第１の実施の形態における携帯端末の内部構成例を示すブロック図である。
【図２】本発明の第１の実施の形態における断面視した場合における透明ディスプレイの各層の構成例と、電圧オン・オフの切替え時における光線の変化の例を示す説明図である。
【図３】本発明の第１の実施の形態における透明ディスプレイの使用例を示す説明図である。
【図４】本発明の第１の実施の形態における携帯端末のスタンバイモードの処理例を示すフローチャートである。
【図５】本発明の第２の実施の形態における携帯端末の内部構成例を示すブロック図である。
【図６】本発明の第２の実施の形態における携帯端末のスタンバイモードの処理例を示すフローチャートである。
【図７】本発明の第２の実施の形態における携帯端末の情報表示時の処理例を示すフローチャートである。
【図８】従来の透明ディスプレイの使用例を示す説明図である。
【図９】従来の透明ディスプレイの表示フレームレートの例を示す説明図である。
【発明を実施するための形態】
【００１７】
以下、発明を実施するための最良の形態（以下実施の形態とする。）について説明する。なお、説明は以下の順序で行う。
１．第１の実施の形態（操作部の操作によって情報表示モードとスタンバイモードを切替える例）
２．第２の実施の形態（環境照度によって表示フレームレートを変更する例）
３．変形例
【００１８】
＜１．第１の実施の形態＞
［携帯端末の全体構成例］
【００１９】
図１は、本実施の形態に係る携帯端末１の内部構成例を示す。
本実施の形態の例（以下本例と称する。）においては、基地局との間で、ＣＤＭＡ方式（Code Division Multiple Access：符号分割多重接続）などの各種無線通信方式で無線電話回線を設定して無線通信を行う携帯端末１に適用した例としてある。本例の携帯端末１は、画面の透明又は不透明を切替え可能であり、画面が透明時には背景を透過させ、画面が不透明時には図形、文字等を表示させる表示装置としても用いられる。
【００２０】
本例の携帯端末１は、携帯電話端末として用いることを想定するものの、カメラ、その他モバイル向けの端末装置に用いてもよい。携帯端末１は、ユーザが常時所持できるように、小型の筐体に内蔵して構成される。この筐体は、例えば、バー型又はスライド型の形状である。また、携帯端末１は、各部に電力を供給する電源１７を備える。電源１７には、例えば、二次電池（リチウム電池）が用いられる。
【００２１】
携帯端末１は、無線電話用の基地局と無線通信を行うための無線通信部であり、所定の通信方式で通信を行う無線電話用通信回路１３を備える。無線電話用通信回路１３には、アンテナ１１が接続してある。図示はしないが、この無線電話用の通信回路の他に、Ｂｌｕｅｔｏｏｔｈ（登録商標）用や無線ＬＡＮ（Local Area Network）用の比較的近距離の無線通信用の通信回路を備えてもよい。
【００２２】
無線電話用通信回路１３が行う無線通信は、携帯端末１の制御部１２の制御で実行され、制御部１２が通信制御部として機能する。基地局との無線接続などの処理も、制御部１２が制御する。制御部１２は、制御ライン２を介して携帯端末１内の各部と制御データのやりとりを行い、無線通信以外の端末内の各機能の制御を行う。
【００２３】
無線電話用通信回路１３で受信したパケット内に、音声データが含まれる場合には、その音声データを取出す。受信パケットから取り出した音声データは、データライン３を介して音声処理部２０に供給し、アナログ音声信号への復調処理を行い、復調されたアナログ音声信号をスピーカ１８に供給して、音声を出力させる。
【００２４】
また、携帯端末１は、音声が入力されるマイクロフォン１９を備え、マイクロフォン１９で拾った音声信号を、音声処理部２０で送信用の音声データに変調し、変調された音声データを無線電話用通信回路１３に供給する。無線電話用通信回路１３では、供給される音声データを、基地局に送信するパケット内に配置して、無線送信する。
【００２５】
また、携帯端末１は、液晶表示パネルなどで構成される表示部１４を備え、制御部１２の制御で、各種情報の表示を行う。ここでの表示としては、電話の発信や着信に関する表示、電話帳やメールアドレスリストなどの登録された情報の表示、受信メールや送信メールの表示、インターネットに接続してダウンロードした画像の表示などがある。
【００２６】
本例の表示部１４は、電源１７から給電される電圧がオンされると透明となり、電圧がオフされると不透明となる透明ディスプレイ１４ａと、制御部１２から指示される表示フレームレートに基づいて、透明ディスプレイ１４ａに加える電圧のプラスマイナスの切替えタイミングを制御する表示制御部１４ｂと、を備える。また、表示制御部１４ｂは、高分子分散液晶２２に加える電圧のオン又はオフを切替えるスイッチ２５（後述する図２参照）を備える。
【００２７】
制御部１２は、表示部１４に画像データを転送する。また、制御部１２は、表示制御部１４ｂに対して、スタンバイモードである場合に、前記表示フレームレートを所定の値に設定し、情報表示モードである場合に、前記表示フレームレートを前記所定の値より高い値に設定する指示を行う。透明ディスプレイ１４ａは、高分子分散液晶２２（後述する図２参照）を注入した電極付ガラスパネルに液晶を駆動させるドライバＩＣとして機能する。表示制御部１４ｂは、制御部１２から指示された表示フレームレートに基づいて、スタンバイモードにおける電圧のプラスマイナスの切替えタイミングを制御する。
【００２８】
また、携帯端末１は、操作部１５を備え、操作部１５での操作に基づいて、制御部１２が各種の処理を行う。例えば、無線電話通信による発信や、メールの送受信、インターネットへのアクセスなどのデータ通信の開始や終了などが、操作部１５として用意されたキーなどが操作されることで実行される。また、ユーザは、操作部１５を用いることによって、モードを切替えることができる。
【００２９】
また、携帯端末１は、制御ライン２及びデータライン３に接続される記憶部１６を備え、例えば外部から受信したパケット等によって再構成されるデータを、記憶部１６に記憶させる。また、制御部１２での制御処理に必要なプログラムについても、記憶部１６に記憶させる。記憶部１６は、例えば、フラッシュメモリ、ハードディスクドライブ等が用いられる。
【００３０】
携帯端末１には、以下の状態分けに基づいて、表示フレームレートを変えるためのモードが設定される。操作部１５は、スタンバイモード又は前記情報表示モードのいずれかを設定することが可能であり、いずれのモードにおいても透明ディスプレイ１４ａには電源１７から給電される。
【００３１】
・情報表示モード：不透明とした透明ディスプレイ１４ａの画面上に文字や絵を表示する状態である。
・スタンバイモード：ユーザが携帯端末１を使用していなかったり、透明ディスプレイ１４ａを透明にして使用したりする状態である。通常、透明ディスプレイ１４ａの画面上に何も表示させないようにするためには、透明ディスプレイ１４ａへの給電を停止するが、スタンバイモードでは、透明ディスプレイ１４ａを全画面で透明の状態を維持しなければならない。このため、透明ディスプレイ１４ａは、電源１７から給電されつつ全画面で透明の状態を維持する。このとき、制御部１２は、表示フレームレートを制御することで透明ディスプレイ１４ａの消費電力を抑制する。
【００３２】
制御部１２は、操作部１５によって選択されたモードに対応する表示フレームレートを表示制御部１４ｂに指示する。ここで、スタンバイモードが設定されると、表示制御部１４ｂは、透明ディスプレイ１４ａに対して、２０Ｈｚの表示フレームレートで電圧のプラスマイナスを切替える。このため、透明ディスプレイ１４ａの画面は透明となり、携帯端末１の背景が表示される。一方、情報表示モードが設定されると、表示制御部１４ｂは、透明ディスプレイ１４ａに対して、６０Ｈｚの表示フレームレートで電圧のプラスマイナスを切替える。このとき、情報が表示される部分は不透明となって、アイコン、画像、文字等が表示され、情報が表示されない部分は透明となって携帯端末１の背景が表示される。
【００３３】
図２は、断面視した場合における透明ディスプレイ１４ａの各層の構成例と、電圧オン・オフの切替え時における光線の変化の例を示す。
【００３４】
図２Ａは、電圧オン時における光線の例を示す。
透明ディスプレイ１４ａは、第１のガラス板２１と、高分子分散液晶２２と、第２のガラス板２３を積層して構成される。第１のガラス板２１，第２のガラス板２３は、光を透過する特性を有しており、それぞれ第１の電極２４ａと第２の電極２４ｂが設けられる。第１の電極２４ａと第２の電極２４ｂは、導線を介して電源１７に接続される。高分子分散液晶２２は、第１のガラス板２１，第２のガラス板２３の間に封止され、第１の電極２４ａと第２の電極２４ｂを介して電源１７から供給される電圧がオンされた場合に前記光を透過し、前記電圧がオフされた場合に前記光を分散させる光分散部として用いられる。
【００３５】
電源１７と第１の電極２４ａの導線間には、電圧のオン又はオフを切替えるスイッチ２５が設けられる。スイッチ２５がオンされると、高分子分散液晶２２に電圧が加わり、液晶が整列する。このため、外部から入射される光線２６は透明ディスプレイ１４ａを透過する。このとき、ユーザが第２のガラス板２３の側から透明ディスプレイ１４ａを見ると、第１のガラス板２１の側の背景が見える。
【００３６】
図２Ｂは、電圧オフ時における光線の例を示す。
スイッチ２５がオフされると、高分子分散液晶２２に加わる電圧がゼロとなり、液晶が分散する。このため、外部から入射される光線２６は高分子分散液晶２２において、分散光２７として周囲に分散する。このとき、ユーザが第１のガラス板２１の側から透明ディスプレイ１４ａを見ると、第２のガラス板２３が不透明となる。
【００３７】
上記の第１の電極２４ａと第２の電極２４ｂに加える電圧のオン又はオフは、制御部１２の指示を受けた表示制御部１４ｂが行う。このように、高分子分散液晶２２は、液晶に電圧がかかると入光した光を透過させ（図２Ａ）、電圧をかけないと分散させる（図２Ｂ）性質を持つ。このため、外部環境から高分子分散液晶２２に入射した光が分散すると、透明ディスプレイ１４ａの画面は白っぽく表示される。
【００３８】
図３は、携帯端末１の使用例を示す。
図３Ａは、情報表示モードにおける携帯端末１の使用例を示す。
このとき、透明ディスプレイ１４ａは、一部透明となり、背景が透過されて表示される領域がある。そして、不透明となる部分には、現在時刻等の情報が表示される。
【００３９】
図３Ｂは、スタンバイモードにおける携帯端末１の使用例を示す。
このとき、透明ディスプレイ１４ａは、全画面が透明となり、背景が透過されて表示されるものの、図形、文字等の情報は表示されなくなる。スタンバイモードにおいては、この状態を維持するため、電力消費を抑えることが求められる。
【００４０】
図３Ｃは、スタンバイモードにおいて、透明ディスプレイ１４ａにかける電圧をオフした場合における携帯端末１の使用例を示す。
このとき、透明ディスプレイ１４ａ、画面が全て不透明となる。このため、背景が透過されず、情報も表示されない。
【００４１】
携帯電話端末のようなモバイル向けの端末では、スタンバイモードの時間が長いため、透明ディスプレイ１４ａに給電する状態が長くなると、消費する電流が多くなり電池が消耗しやすい。そこで、スタンバイモード時に透明ディスプレイ１４ａが消費する電力を低く抑えることができれば、例えば、携帯電話端末では待ち受け時間が長くなるため、ユーザの利便性が高まる。
【００４２】
図４は、スタンバイモードから情報表示モードに切替える場合における制御部１２の処理の例を示す。
【００４３】
始めに、制御部１２は、スタンバイモードを開始する（ステップＳ１）。スタンバイモードは、ユーザからの操作が一定時間なかった後に、携帯端末１が省電力状態（待ち受け状態）に移行した場合、又は、ユーザが操作部１５を用いてモードの切替え操作が行われた場合に開始される。スタンバイモードの開始を受けて、表示制御部１４ｂは、透明ディスプレイ１４ａを全画面で透明に表示するように設定する（ステップＳ２）。次に、制御部１２は、表示制御部１４ｂに表示フレームレートを２０Ｈｚに変更する指示を行う（ステップＳ３）。そして、表示制御部１４ｂは、透明ディスプレイ１４ａの表示フレームレートを２０Ｈｚに変更する。
【００４４】
次に、制御部１２は、スタンバイモードが解除される指示（情報表示モードへの切替え指示）を、操作部１５から受けたか否かを判断する（ステップＳ４）。スタンバイモードが解除される指示を受けていない場合、制御部１２は、透明ディスプレイ１４ａの表示フレームレートを２０Ｈｚのまま維持し、スタンバイモードの解除指示を待つ。
【００４５】
制御部１２は、操作部１５からスタンバイモードが解除される指示を受けると、情報表示モードに設定される。そして、制御部１２は、表示制御部１４ｂに表示フレームレートを６０Ｈｚに変更する指示を行う（ステップＳ５）。
【００４６】
次に、表示制御部１４ｂは、透明ディスプレイ１４ａの表示フレームレートを６０Ｈｚに変更する。その後、制御部１２は、情報表示モードを開始する（ステップＳ６）。なお、情報表示モードからスタンバイモードへは、ユーザの操作部１５の操作によって指示すればよい。
【００４７】
以上説明した第１の実施の形態によれば、情報表示モードにおける表示フレームレートは、スタンバイモードにおける表示フレームレートより高く設定してある。そして、透明ディスプレイ１４ａの表示フレームレートは、ユーザがモードを切替える操作によって任意に変更できる。このため、携帯端末１を用いる周囲の環境が暗ければ、表示フレームレートを落とすことにより、電源１７の消費電力を抑えることができるという効果がある。
【００４８】
＜２．第２の実施の形態＞
次に、本発明の第２の実施の形態について、図５〜図７を参照して説明する。
本実施の形態では、環境照度によって、透明ディスプレイ１４ａの表示フレームレートを自動的に変える携帯端末３０に適用した例について説明する。以下の説明において、既に第１の実施の形態で説明した図１に対応する部分には同一符号を付し、詳細な説明を省略する。
【００４９】
図５は、本実施の形態に係る携帯端末３０の内部構成例を示す。
携帯端末３０は、上述した第１の実施の形態に係る携帯端末１が備える各ブロックに加えて、周辺の環境照度を計測する照度計測部３１を備える。本例の照度計測部３１は、表示部１４に設置される。
【００５０】
照度計測部３１は、携帯端末３０の周囲環境の照度を計測して得られる照度値（以下、「環境照度」という。）に基づくアナログ電圧を出力する。本例の制御部１２は、高分子分散液晶２２の動作を制御すると共に、またアナログ電圧入力ポートを備えており、環境照度に基づくアナログ電圧の入力信号をデジタルデータに変換して所定の演算処理を行う。そして、制御部１２は、照度計測部３１から取得した前記環境照度に基づいて設定した前記スタンバイモード又は前記情報表示モードに対応する前記表示フレームレートを、前記表示制御部１４ｂに指示する。
【００５１】
また、本例の透明ディスプレイ１４ａは、以下の性質を持つ。
（１）透明ディスプレイ１４ａの表示フレームレートを下げれば電力消費が抑えられる。
（２）主観評価結果によれば、透明ディスプレイ１４ａは、一般的な液晶表示装置と比較して、環境照度が低くなると、表示フレームレートを落としても、ユーザは画面のちらつきを認識しづらいことが判明している。例えば、環境照度が１００００ｌｘである場合、表示フレームレートは６０Ｈｚ程度に設定する必要があるが、環境照度が５００ｌｘである場合、表示フレームレートを２０Ｈｚ程度まで下げることは可能である。
（３）高分子分散液晶２２は、入光が多いほど、白色の表示がはっきり見える特性を持つ。その特性から、暗い環境下では透明ディスプレイ１４ａの表示は視認しづらくなることが判明している。
【００５２】
このため、以下のポイントに留意して、制御部１２は、表示制御部１４ｂを介して透明ディスプレイ１４ａを制御することによって、スタンバイモード時における電源１７の消費電力を抑える。
（１）制御部１２は、環境照度によって透明ディスプレイ１４ａの表示フレームレートを変更する。照度が高い場合は表示フレームレートを高く、照度が低い場合には表示フレームレートを低く設定する。
（２）環境照度が１ｌｘ以下の場合は、電源１７から透明ディスプレイ１４ａへの給電を停止し、透明ディスプレイ１４ａを全画面で白表示させる。ただし、本例では、１ｌｘとしているが、ユーザが暗いと感じる程度の照度で良い。
【００５３】
図６は、スタンバイモードから、情報表示モードを開始するまでの処理例を示す。
【００５４】
始めに、制御部１２は、スタンバイモードを開始する（ステップＳ１１）。スタンバイモードの開始条件は、上述した図４におけるステップＳ１の場合と同様である。次に、表示制御部１４ｂは、透明ディスプレイ１４ａの全画面を透明表示する（ステップＳ１２）。このとき、例えば、表示フレームレートが２０Ｈｚで設定される。
【００５５】
表示制御部１４ｂは、スタンバイモードが解除されたか否かを判断する（ステップＳ１３）。本例において制御部１２は、スタンバイモードが解除されたか否かを環境照度によって判断する。ステップＳ１３の判断は、例えば、１分毎に行われるが、操作部１５によって情報表示モードに切替え操作がなされたときは、優先的に割込み処理が行われる。
【００５６】
スタンバイモードが解除された場合、情報表示モードに移行するため、制御部１２は、初期設定された表示フレームレート（例えば、６０Ｈｚ）を表示制御部１４ｂに指示する。そして、表示制御部１４ｂは、透明ディスプレイ１４ａの表示フレームレートを、初期設定された表示フレームレートに変更する（ステップＳ１４）。その後、制御部１２は、情報表示モードに設定を変更し（ステップＳ１５）、情報表示モードを開始する（ステップＳ１６）。
【００５７】
一方、ステップＳ１３において、制御部１２は、スタンバイモードが解除されていないと判断した場合、照度計測部３１から環境照度を取得する（ステップＳ１７）。取得した環境照度は、記憶部１６に一時保存される。
【００５８】
次に、制御部１２は、記憶部１６から読み出した以前の環境照度と、現在の環境照度が大きく異なるか否かを判断する（ステップＳ１８）。以前の環境照度と、現在の環境照度がほぼ同じ値であれば、制御部１２は、処理をステップＳ１３に戻す。
【００５９】
一方、以前の環境照度と、現在の環境照度が大きく異なる場合、制御部１２は、透明ディスプレイ１４ａへの給電が停止しているか否かを判断する（ステップＳ１９）。制御部１２は、透明ディスプレイ１４ａに給電されていると判断した場合、処理をステップＳ２１に移す。
【００６０】
一方、制御部１２は、透明ディスプレイ１４ａへの給電が停止していると判断した場合、表示制御部１４ｂに対して、透明ディスプレイ１４ａに給電を開始する指示を行う（ステップＳ２０）。電源１７から透明ディスプレイ１４ａに給電され、表示制御部１４ｂが所定の表示フレームレートで透明ディスプレイ１４ａを駆動すると、透明ディスプレイ１４ａが全画面で透明表示する状態となる。
【００６１】
次に、制御部１２は、ステップＳ１７で取得した環境照度が所定の値以上であるか否かを判断する（ステップＳ２１）。本例では、所定の値を１ｌｘとしている。制御部１２は、環境照度が１ｌｘ以上であると判断した場合、制御部１２は、環境照度から最適な表示フレームレートを算出する（ステップＳ２２）。
【００６２】
次に、制御部１２は、算出した表示フレームレートを表示制御部１４ｂに通知し、表示制御部１４ｂは、この表示フレームレートに変更する（ステップＳ２３）。ステップＳ２２，Ｓ２３において、制御部１２は、環境照度に合わせて、２０Ｈｚ〜６０Ｈｚの範囲内の前記表示フレームレートとする指示を前記表示制御部１４ｂに行う。例えば、明るい環境であることが判明すると、制御部１２は、表示フレームレートを６０Ｈｚに変更する指示を表示制御部１４ｂに行う。
その後、制御部１２は、処理をステップＳ１３に戻す。
【００６３】
一方、ステップＳ２１において、制御部１２は、環境照度が１ｌｘ未満であると判断した場合、表示制御部１４ｂに透明ディスプレイ１４ａへの給電を停止させ、透明ディスプレイ１４ａに加える電圧をオフにする（ステップＳ２４）。この結果、透明ディスプレイ１４ａは、全画面で白く表示する状態となる。そして、制御部１２は、処理をステップＳ１３に戻す。なお、情報表示モードからスタンバイモードへは、ユーザの操作部１５の操作によって指示すればよい。
【００６４】
図７は、制御部１２が表示フレームレートを変更する処理の例を示す。
【００６５】
始めにスタンバイモードである場合、制御部１２は、照度計測部３１から環境照度を取得する（ステップＳ３１）。次に、制御部１２は、環境照度に基づいて最適な表示フレームレートを求める（ステップＳ３２）。
【００６６】
そして、制御部１２は、表示制御部１４ｂに対して、算出した表示フレームレートを通知する。この結果、表示制御部１４ｂは、透明ディスプレイ１４ａの表示フレームレートを、制御部１２が算出した表示フレームレートに変更する（ステップＳ３３）。
【００６７】
以上説明した第２の実施の形態に係る携帯端末３０によれば、制御部１２は、スタンバイモード時に照度計測部３１が計測した環境照度に基づいて、最適な表示フレームレートの変更を表示制御部１４ｂに指示することによって、透明ディスプレイ１４ａの表示フレームレートを変更することが可能である。このため、ユーザは明示的な指示を行うことなく、携帯端末３０を使用する環境に合った表示フレームレートを設定することが可能であり、利便性が向上するという効果がある。
【００６８】
また、スタンバイモードにおいて、ユーザが携帯端末３０をカバン等に収納することによって、全く携帯端末３０を使用しない状況も想定される。しかし、制御部１２は、所定の周期で環境照度を測定するため、環境照度が１ｌｘ未満であることを判断すると、透明ディスプレイ１４ａへの給電を停止する。このため、電源１７の電力消費を抑えることができるという効果がある。
【００６９】
なお、情報表示モードにおいても、上述した図６に示した表示フレームレートの切替え処理を適用してもよい。ただし、環境照度が低い場所（暗闇等）では、情報表示モードにすると、別途用意した光源によって透明ディスプレイ１４ａの画面に光を照らさなければならず、電源１７は常にライトに給電しなければならず、図６におけるステップＳ２４の処理は不要となる。従って、情報表示モードにおける処理は、環境照度によって表示フレームレートを変更する処理のみ用いることとなる。
【００７０】
また、環境照度に依存しないで、スタンバイモードに変更されたときに表示フレームレートを下げる場合にも適用できる。この場合、まず、スタンバイモードに移行すると透明ディスプレイ１４ａの全画面を透明とする。次に、表示フレームレートを６０Ｈｚから２０Ｈｚに落とせば、容易に透明ディスプレイ１４ａの電力を低く抑えることができる。
【００７１】
また、制御部１２は、所定の時間（例えば、１分）毎にモードの切替えを判断する。これにより、常にモードの切替えを判断する場合に比べて、電源１７に充電された電力の消費量を抑えることができるという効果がある。
【００７２】
なお、上述した第１及び第２の実施の形態に係る携帯端末では、携帯電話端末に適用した例について説明したが、その他の電子機器にも適用してもよい。また、デジタル時計等に用いられるＳＴＮ（Super Twisted Nematic）液晶を備えた表示装置等に適用してもよい。また、照度計測部３１を、透明ディスプレイ１４ａの内部に設けることも可能である。
【００７３】
また、上述した第１及び第２の実施の形態の機能を実現するソフトウェアのプログラムコードを記録した記録媒体を、携帯端末に供給してもよい。また、そのシステムあるいは装置のコンピュータ（またはＣＰＵ等の制御装置）が記録媒体に格納されたプログラムコードを読み出し実行することによっても、機能が実現されることは言うまでもない。
【００７４】
この場合のプログラムコードを供給するための記録媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７５】
また、コンピュータが読み出したプログラムコードを実行することにより、上述した実施の形態の機能が実現される。加えて、そのプログラムコードの指示に基づき、コンピュータ上で稼動しているＯＳ（Operating System）などが実際の処理の一部又は全部を行う。その処理によって上述した実施の形態の機能が実現される場合も含まれる。
【００７６】
また、本発明は上述した実施の形態に限られるものではなく、本発明の要旨を逸脱することなくその他種々の構成を取り得ることは勿論である。
【符号の説明】
【００７７】
１…携帯端末、２…制御ライン、３…データライン、１１…アンテナ、１２…制御部、１３…無線電話用通信回路、１４…表示部、１４ａ…透明ディスプレイ、１４ｂ…表示制御部、１５…操作部、１６…記憶部、１７…電源、１８…スピーカ、１９…マイクロフォン、２０…音声処理部、２１…第１のガラス板、２２…高分子分散液晶、２３…第２のガラス板、２４ａ…第１の電極、２４ｂ…第２の電極、２５…スイッチ、２６…光線、２７…分散光、３０…携帯端末、３１…照度計測部
【図１】
2010256632.tif 000003
【図２】
2010256632.tif 000004
【図３】
2010256632.tif 000005
【図４】
2010256632.tif 000006
【図５】
2010256632.tif 000007
【図６】
2010256632.tif 000008
【図７】
2010256632.tif 000009
【図９】
2010256632.tif 000010
【図８】
2010256632.tif 000011
【手続補正書】
【提出日】平成22年3月4日(2010.3.4)
【手続補正１】
【補正対象書類名】明細書
【補正対象項目名】００２５
【補正方法】変更
【補正の内容】
【００２５】
また、携帯端末１は、液晶表示パネルなどで構成される表示部１４を備え、制御部１２の制御で、各種情報の表示を行う。ここでの表示としては、電話の発信や着信に関する表示、電話帳や電子メールのアドレスリストなどの登録された情報の表示、受信した電子メールや送信した電子メールの表示、インターネットに接続してダウンロードした画像の表示などがある。
【手続補正２】
【補正対象書類名】明細書
【補正対象項目名】００３６
【補正方法】変更
【補正の内容】
【００３６】
図２Ｂは、電圧オフ時における光線の例を示す。
スイッチ２５がオフされると、高分子分散液晶２２に加わる電圧がゼロとなり、液晶が分散する。このため、外部から入射される光線２６は高分子分散液晶２２において、分散光２７として周囲に分散する。このとき、ユーザが第２のガラス板２３の側から透明ディスプレイ１４ａを見ると、第２のガラス板２３が不透明となる。
【手続補正３】
【補正対象書類名】明細書
【補正対象項目名】００７０
【補正方法】変更
【補正の内容】
【００７０】
また、表示フレームレートの切替え処理は、環境照度に依存しないで、スタンバイモードに変更されたときに表示フレームレートを下げる場合にも適用できる。この場合、まず、スタンバイモードに移行すると透明ディスプレイ１４ａの全画面を透明とする。次に、表示フレームレートを６０Ｈｚから２０Ｈｚに落とせば、容易に透明ディスプレイ１４ａの電力を低く抑えることができる。
【手続補正４】
【補正対象書類名】明細書
【補正対象項目名】００７２
【補正方法】変更
【補正の内容】
【００７２】
＜３．変形例＞
なお、上述した第１及び第２の実施の形態に係る携帯端末では、携帯電話端末に適用した例について説明したが、その他の電子機器にも適用してもよい。また、デジタル時計等に用いられるＳＴＮ（Super Twisted Nematic）液晶を備えた表示装置等に適用してもよい。また、照度計測部３１を、透明ディスプレイ１４ａの内部に設けることも可能である。
【手続補正５】
【補正対象書類名】図面
【補正対象項目名】図６
【補正方法】変更
【補正の内容】
【図６】
2010256632.tif 000012